(57)【要約】      （修正有） 【課題】ファッション性を備えて多くの人に好まれやすく、且つ交通安全効果のあるストラップを提供する。【解決手段】光反射布及び非光反射布の組み合わせで形成したマスコットと、該マスコットの上端に取り付けた係止部材とからなることを特徴とする。前記マスコットを動物の形状とし、頭部、両腕部、両足部及び臀部には光反射布を使用し、左右足裏にはクリーナー布を使用し、前記以外の部分には非光反射布を使用したマスコットとしたことを特徴とするストラップの構成とした。【選択図】図１
0003161844.tif 000002
【実用新案登録請求の範囲】
【請求項１】
光反射布及び非光反射布の組み合わせて形成したマスコットと、前記マスコットの上端に取り付けた係止部材とからなることを特徴とするストラップ。
【請求項２】
前記マスコットを動物の形状とし、頭部、両腕部、両足部及び臀部には光反射布を使用し、左右足裏にはクリーナー布を使用し、前記以外の部分には非光反射布を使用したマスコットとしたことを特徴とする請求項１項に記載のストラップ。
【考案の詳細な説明】
【技術分野】
【０００１】
本考案は、主に携帯電話、鞄、鍵などに取り付けるストラップに関する。
【背景技術】
【０００２】
従来のストラップは、デザインを重視したものや、交通安全を重視したもの等、目的に合わせたストラップがあった。
【０００３】
しかしながら、従来のデザインを重視したストラップの場合、ファッション性を第１に構成されるため、それ以外の効果はなかった。
【０００４】
また、交通安全の面を重視したストラップも存在したが、このようなストラップはファッション性が低く、好んで使用されるようなものは少なかった。
【先行技術文献】
【特許文献】
【０００５】
【特許文献１】実用新案登録第３１５２９０１号公報
【考案の概要】
【考案が解決しようとする課題】
【０００６】
そこで、本考案は、ファッション性を備えて多くの人に好まれやすく、且つ交通安全効果のあるストラップを提供する。
【課題を解決するための手段】
【０００７】
本考案は、上記の課題を解決するために、光反射布及び非光反射布の組み合わせで形成したマスコットと、前記マスコットの上端に取り付けた係止部材とからなることを特徴とするストラップの構成とした。
【０００８】
また、前記マスコットを、動物の形状とし、頭部、両腕部、両足部及び臀部に光反射布を使用し、左右足裏にクリーナー布を使用し、前記以外の部分を非光反射布を使用したマスコットとしたことを特徴とするストラップの構成とした。
【考案の効果】
【０００９】
光反射布により形成されているため、車のライト等に反射し、ドライバーを始めとする周囲の者に対して自分の存在を効果的に認識させることができる。
【００１０】
また、ファッション性を備えているため、多くの人に好まれやすく、使用する者が増えることにより交通事故の発生を抑制することができる。
【図面の簡単な説明】
【００１１】
【図１】本考案であるストラップの正面図である。
【図２】本考案であるストラップの背面図である。
【図３】本考案であるストラップの右側面図である。
【図４】本考案であるストラップの正面図である。
【図５】本考案であるストラップの背面図である。
【図６】本考案であるストラップの右側面図である。
【考案を実施するための形態】
【００１２】
以下、添付の図面を参照し、本考案の実施の形態について詳細に説明する。
【実施例１】
【００１３】
図１は本考案であるストラップの正面図、図２はストラップの背面図、図３はストラップの右側面図、図４はストラップの正面図、図５はストラップの背面図、図６はストラップの右側面図である。
【００１４】
図１から図６に示すように、本考案であるストラップ１は、光反射布及び非光反射布の組み合わせで形成したマスコット２と、前記マスコット２の上端に取り付けた係止部材３とからなる。
【００１５】
前記マスコット２は、動物の形状をしており、頭部、両腕、両足及び臀部に光反射布を使用し、左右足裏にクリーナー布を使用し、前記以外の部分を非光反射布を使用したマスコットである。但し、前記マスコット２の形状については、図１に示したクマの形状に限定したものではなく、他の動物の形状であっても構わない。また、動物以外の形状であっても構わない。
【００１６】
添付図面の図１から図６は、前記マスコット２をクマの形状とした。図１から図３に示すように、前記キーホルダー１のマスコット２は、頭部２ａと前記頭部２ａを上端に連結した胴体部２ｂからなり、前記胴体部２ｂには左右腕２ｃ、２ｄ及び左右足２ｅ、２ｆが取り付けられている。また、前記胴体部２ｂの下部は臀部２ｉとなっている。
【００１７】
前記胴体部２ｂと頭部２ａの連結部（即ち首にあたる部分）の左右から背面側にかけた半周部分にはフード４が取り付けられており、前記フード４は前記頭部２ａに被っている。尚、図４から図６に示すように、前記フード４は頭部２ａから着脱可能となっている。
【００１８】
また、前記フード４の開口部には紐４ａを取り付けて、フード４の開口面を広げたり狭めたりできるようになっている。また、前記紐４ａの両端には留め具４ｂが取り付けられており、前記紐４ａがフード４から抜き取れないようになっている。
【００１９】
前記頭部２ａの上端部には係止紐２ｊが取り付けられており、前記係止紐２ｊは後述する係止部材３を取り付けるための紐である。
【００２０】
前記マスコット２においては、頭部２ａ、左右腕２ｃ、２ｄ、左右足２ｅ、２ｆ及び臀部２ｉに光反射布が使用されており、左右足裏にはクリーナー布が使用され、それ以外の部分、即ち胴体部２ｂ及びフード４の部分は非光反射布を使用している。尚、前記光反射布、非光反射布及びクリーナー布の使い分けについては、特に限定したものではなく、マスコット２の形状によって変えても構わない。
【００２１】
前記係止紐２ｊに連結される係止部材３は、摘み３ｅと前記摘み３ｅに連動する開閉部３ｄを備えた係止部材３ｃと、前記係止部材３ｃの上部に取り付けられた係止リング３ｂと、前記係止リング３ｂに取り付けた紐３ａからなる。
【００２２】
図１に示すように、前記摘み３ｅを上方に向かって引き上げると開閉部３ｄは係止部材３ｃの内側に移動し、係止部材３ｃに隙間ができる。この状態のとき、係止部材３をマスコット２から外すことができる。尚、前記係止部材３は、前述のように着脱可能な構造に限定したものではなく、着脱不可能な一体型であっても構わない。
【産業上の利用可能性】
【００２３】
本考案であるストラップは、鞄等にぶら下げた場合に、不規則な動きをしながら車のライト等の光に反射するため、効果的に注意を促すことができるため交通事故を抑制することが期待できる。
【符号の説明】
【００２４】
１    ストラップ
２    マスコット
２ａ  頭部
２ｂ  胴体部
２ｃ  左腕
２ｄ  右腕
２ｅ  左足
２ｆ  右足
２ｇ  左足裏
２ｈ  右足裏
２ｉ  臀部
２ｊ  係止紐
３    係止部材
３ａ  紐
３ｂ  係止リング
３ｃ  係止部材
３ｄ  開閉部
３ｅ  摘み
４    フード
４ａ  紐
４ｂ  留め具
【図１】
0003161844.tif 000003
【図２】
0003161844.tif 000004
【図３】
0003161844.tif 000005
【図４】
0003161844.tif 000006
【図５】
0003161844.tif 000007
【図６】
0003161844.tif 000008